(57)【要約】【課題】  天板の後端に机上パネルが立設されたデスクにおいて、天板上のみならず、着座スペースも含めたワークスペースを区画して形成することができ、しかも従来のサイドパネルと同様に机上パネル及び天板に簡単に取付けることができ、更に支持状態も安定であるデスク用パネル及びその取付構造を提供する。【解決手段】  天板４の後端に机上パネル５が立設されたデスクＡに取付けて該机上パネルとでワークスペースを区画形成するデスク用パネルＢであって、天板上に載る水平部分１１と通路の床面Ｆまで延びた垂直部分１２を有する倒Ｌ字形の形状であり、水平部分の後端部を机上パネルに上係止具１３と下係止具１４で係止するとともに、水平部分と垂直部分のコーナー部１６を天板の前縁部にクランプ１５で締め付けて連結する。【選択図】        図２
2010125015.tif 000002
【特許請求の範囲】
【請求項１】
天板の後端に机上パネルが立設されたデスクに取付けて該机上パネルとでワークスペースを区画形成するデスク用パネルであって、天板上に載る水平部分と通路の床面まで延びた垂直部分を有する倒Ｌ字形の形状であり、前記水平部分の後端部を前記机上パネルに上係止具と下係止具で係止するとともに、前記水平部分と垂直部分のコーナー部を前記天板の前縁部にクランプで締め付けて連結することを特徴とするデスク用パネル。
【請求項２】
天板の後端に机上パネルが立設されたデスクに取付けて該机上パネルとでワークスペースを区画形成するデスク用パネルの取付構造であって、前記デスク用パネルは、天板上に載る水平部分と通路の床面まで延びた垂直部分を有する倒Ｌ字形の形状であり、前記机上パネルの表面上端部に沿って係止溝を形成するとともに、下端部に沿って下方へ開放した凹溝を形成し、前記水平部分の後端部上端に設けた上係止具を前記係止溝に上下方向から係止し且つ前記水平部分の後端部下端に設けた下係止具を前記凹溝に前後方向から係止するとともに、前記水平部分と垂直部分のコーナー部に設けたクランプで前記天板の前縁部を締め付けて連結することを特徴とするデスク用パネルの取付構造。
【請求項３】
前記デスク用パネルの水平部分の後端部上端に設けた前記上係止具には、前記机上パネルの係止溝に係止する下向き爪を上下動可能に設け、前記水平部分の後端部下端に設けた前記下係止具には、前記机上パネルの凹溝に係止する上向き爪を前後移動可能且つ固定可能に設け、前記水平部分と垂直部分のコーナー部に設けた上下動可能且つ固定可能なクランプで前記天板の前縁部を上下から締め付けて連結する請求項２記載のデスク用パネルの取付構造。
【請求項４】
前記デスク用パネルの垂直部分の下端部にアジャスターを設け、前記上係止具、下係止具及びクランプで前記机上パネルと天板に取付けた後、前記アジャスターを床面に圧接してなる請求項２又は３記載のデスク用パネル。
【発明の詳細な説明】
【技術分野】
【０００１】
本発明は、デスク用パネル及びその取付構造に係わり、更に詳しくは天板の後端に机上パネルが立設されたデスクに取付けて該机上パネルとでワークスペースを区画形成するデスク用パネル及びその取付構造に関するものである。
【背景技術】
【０００２】
従来から、天板の後端に沿って机上パネルを立設したパネル付きデスク、あるいは独立したデスクを前後に背面を合わせて側方へ列設したデスク配置、又は共通の脚部材で前後に天板を支持するとともに、側方へ次々に連結した構造のデスク列において、前後の天板間に机上パネルを立設した構造は公知である。そして、これらの机上パネル（フロントパネル又はバックパネルとも称される）を有するデスクシステムにおいて、前述の机上パネルとともにサイドパネルを天板上に立設して、前後左右の区画を行うことも公知である。ここで、サイドパネルの取付構造についても各種の構造が提案されている。
【０００３】
特許文献１には、机上パネルの両側部に形成した上下の係止穴に、サイドパネルの後端に取付けた後部連結金具の係止爪を係合するとともに、サイドパネルの前端下部を天板の前縁にクランプ構造の前部連結金具で取付けている。ここで、前部連結金具は、天板に前方から被さる状態で嵌まる側面視コ字状のクランプ体と、クランプ体の下水平部に下方から被さる状態で嵌まる正面視上向き開口コ字状の押さえ部材と、押さえ部材を貫通してクランプ体の下水平部に下方からねじ込まれるビスとによって構成されており、ビスをねじ込むと押さえ部材が天板の下面に突っ張り、クランプ体の下水平部が天板の上面に強く押圧され、クランプ体は天板に固定されるのである。
【０００４】
特許文献２には、サイドパネルの端部を机上パネルのパネル面に突き合わせ、サイドパネルの少なくとも２箇所に設定した受圧部と机上パネルの対応部位との間を、これらに着脱可能に係り合わせた第１の緊締機構によって前記端部を前記パネル面に押し付ける方向に緊締するとともに、サイドパネルの前記端部と直交する直交端部を同時に天板の上面に突き合わせ、サイドパネルのうち前記受圧部から机上パネルとは反対側へ変位した部位に設定した受圧部と天板の対応部位との間を、これらに着脱可能に係り合わせた第２の緊締機構によって前記直交端部を前記天板の上面に押し付ける方向に緊締するように構成したことを特徴とするパネル連結構造が記載されている。ここで、第２の緊締機構として、ネジで天板の前端部を上下から挟持するクランプ機構が例示されている。
【０００５】
ところで、従来のサイドパネルは、個人が使用する机上空間を左右に仕切って、プライバシーを確保したり、落ち着いてデスクワークを行えるようにすることが設置目的であることから、天板の上位のみに位置する比較的小さなパネル板が用いられ、またサイドパネルの前端下部を天板の前端に取付けるクランプ機構も小型の簡易な構造のものが用いられている。机上パネルとサイドパネルの仕切りだけでは、ワークスペースの独立性が不足する場合、ローパーティションを平面視Ｌ字形、コ字形、Ｔ字形、十字形等に連結して区画し、その区画された空間にデスクを設置している。
【特許文献１】特開２００８−０７３４６７号公報
【特許文献２】特開２００８−１１９４１２号公報
【発明の開示】
【発明が解決しようとする課題】
【０００６】
そこで、本発明が前述の状況に鑑み、解決しようとするところは、天板の後端に机上パネルが立設されたデスクにおいて、天板上のみならず、着座スペースも含めたワークスペースを区画して形成することができ、しかも従来のサイドパネルと同様に机上パネル及び天板に簡単に取付けることができ、更に支持状態も安定であるデスク用パネル及びその取付構造を提供する点にある。
【課題を解決するための手段】
【０００７】
本発明は、前述の課題解決のために、天板の後端に机上パネルが立設されたデスクに取付けて該机上パネルとでワークスペースを区画形成するデスク用パネルであって、天板上に載る水平部分と通路の床面まで延びた垂直部分を有する倒Ｌ字形の形状であり、前記水平部分の後端部を前記机上パネルに上係止具と下係止具で係止するとともに、前記水平部分と垂直部分のコーナー部を前記天板の前縁部にクランプで締め付けて連結することを特徴とするデスク用パネルを構成した（請求項１）。
【０００８】
また、本発明は、前述の課題解決のために、天板の後端に机上パネルが立設されたデスクに取付けて該机上パネルとでワークスペースを区画形成するデスク用パネルの取付構造であって、前記デスク用パネルは、天板上に載る水平部分と通路の床面まで延びた垂直部分を有する倒Ｌ字形の形状であり、前記机上パネルの表面上端部に沿って係止溝を形成するとともに、下端部に沿って下方へ開放した凹溝を形成し、前記水平部分の後端部上端に設けた上係止具を前記係止溝に上下方向から係止し且つ前記水平部分の後端部下端に設けた下係止具を前記凹溝に前後方向から係止するとともに、前記水平部分と垂直部分のコーナー部に設けたクランプで前記天板の前縁部を締め付けて連結することを特徴とするデスク用パネルの取付構造を構成した（請求項２）。
【０００９】
ここで、前記デスク用パネルの水平部分の後端部上端に設けた前記上係止具には、前記机上パネルの係止溝に係止する下向き爪を上下動可能に設け、前記水平部分の後端部下端に設けた前記下係止具には、前記机上パネルの凹溝に係止する上向き爪を前後移動可能且つ固定可能に設け、前記水平部分と垂直部分のコーナー部に設けた上下動可能且つ固定可能なクランプで前記天板の前縁部を上下から締め付けて連結することが好ましい（請求項３）。
【００１０】
更に、前記デスク用パネルの垂直部分の下端部にアジャスターを設け、前記上係止具、下係止具及びクランプで前記机上パネルと天板に取付けた後、前記アジャスターを床面に圧接してなることがより好ましい（請求項４）。
【発明の効果】
【００１１】
以上にしてなる請求項１に係る発明のデスク用パネルは、天板の後端に机上パネルが立設されたデスクに取付けて該机上パネルとでワークスペースを区画形成するデスク用パネルであって、天板上に載る水平部分と通路の床面まで延びた垂直部分を有する倒Ｌ字形の形状であり、前記水平部分の後端部を前記机上パネルに上係止具と下係止具で係止するとともに、前記水平部分と垂直部分のコーナー部を前記天板の前縁部にクランプで締め付けて連結するので、天板上のみならず、着座スペースも含めたワークスペースを区画して形成することができ、これまでに無いコンセプトのパネルをデスクのオプションとして提供することができ、デスクの利用形態が更に豊富になる。つまり、本発明のデスク用パネルを用いることによって、従来の机上サイドパネルでは達成し得ない、従来のローパーティションによる区画に匹敵する、ワークスペースの高度な独立性を確保することができ、しかも構造が簡単であるので安価に提供することができる。
【００１２】
また、請求項２に係る発明のデスク用パネルの取付構造は、天板の後端に机上パネルが立設されたデスクに取付けて該机上パネルとでワークスペースを区画形成するデスク用パネルの取付構造であって、前記デスク用パネルは、天板上に載る水平部分と通路の床面まで延びた垂直部分を有する倒Ｌ字形の形状であり、前記机上パネルの表面上端部に沿って係止溝を形成するとともに、下端部に沿って下方へ開放した凹溝を形成し、前記水平部分の後端部上端に設けた上係止具を前記係止溝に上下方向から係止し且つ前記水平部分の後端部下端に設けた下係止具を前記凹溝に前後方向から係止するとともに、前記水平部分と垂直部分のコーナー部に設けたクランプで前記天板の前縁部を締め付けて連結するので、前記下係止具を前記机上パネルの下端の凹溝内に位置させた後、上係止具を机上パネルの上端部の係止溝に上下方向から係止し、それから下係止具を前後方向、特に手前側に引き寄せて凹溝の前縁部に係止し、最後に前記クランプで天板の前縁部を上下から挟持して立起状態に取付けることができ、またデスク用パネルの垂直部分の下端を床面に接触させることにより更に安定に保持することができる。
【００１３】
請求項３によれば、前記デスク用パネルの水平部分の後端部上端に設けた前記上係止具には、前記机上パネルの係止溝に係止する下向き爪を上下動可能に設け、前記水平部分の後端部下端に設けた前記下係止具には、前記机上パネルの凹溝に係止する上向き爪を前後移動可能且つ固定可能に設け、前記水平部分と垂直部分のコーナー部に設けた上下動可能且つ固定可能なクランプで前記天板の前縁部を上下から締め付けて連結するので、机上パネルと天板への取付作業が容易であり、また元々デスク用パネルは、水平部分の後端部が直接的又は間接的に机上パネルに当接するとともに、下端が天板上に載置されているので、後方及び下方への変位がない上に、上係止具の下向き爪と下係止具の上向き爪とで前方移動を規制することができ、下係止具の上向き爪で上方への移動を規制することができ、しかもクランプによってデスク用パネルの略中央部が全方向への移動を規制することができ、取付状態が非常に安定である。見方を変えれば、デスク用パネルの略中央部をクランプで固定され、このクランプを支点としての回転変位は、水平部分の後端部が上係止具と下係止具とで机上パネルに支持され、垂直部分の下端が床面に接触して支持されているので、確実に規制することができるのである。
【００１４】
請求項４によれば、前記デスク用パネルの垂直部分の下端部にアジャスターを設け、前記上係止具、下係止具及びクランプで前記机上パネルと天板に取付けた後、前記アジャスターを床面に圧接してなるので、デスク本体の重量を利用してデスク用パネルの変位を確実に規制することができ、更に安定に支持することができる。
【発明を実施するための最良の形態】
【００１５】
次に、添付図面に示した実施形態に基づき、本発明を更に詳細に説明する。図１及び図２は本発明のデスク用パネルを組立式デスクに取付けてワーススペースを区画形成した使用例を示し、図３〜図９はデスク用パネルの取付構造の詳細を示し、図中符号Ａは組立式デスク、Ｂはデスク用パネル、１は端部脚、２は中間脚、３は脚間モジュール、４は天板、５は机上パネル、６はサイドパネル、７は幕板をそれぞれ示している。
【００１６】
本実施形態に係る組立式デスクＡは、両端部に配する端部脚１，１、中間に配する複数の中間脚２，…、脚間を連結する複数の脚間モジュール３，…及び天板４，…を有し、前記端部脚１と中間脚２、あるいは両側の中間脚２，２に、前後中央部にダクト開口８を設けて天板４，４を前後に載置固定するとともに、前記ダクト開口８内で前記端部脚１及び中間脚２に取付けた支持部材９，…に机上パネル５，…を取付けるとともに、ダクト開口８にはダクトカバー１０，…を装着し、更に前記端部脚１の上部で外側面には前記机上パネル５と同じ高さの端部パネル６を取付けて構成している。ここで、前後の天板４，４の端部とダクトカバー１０の間には、コードを挿通するための隙間を設けている。また、前記各脚間モジュール３の下部には、パンチングメタル製の幕板７を吊り下げている。
【００１７】
通常、前述の組立式デスクＡは、前後一対の天板４，４、中間脚２及び脚間モジュール３を単位として次々に連結してデスク列を構成し、それらデスク列を平行に所定間隔を置いて複数設置して使用する。そして、デスク列は中央部の机上パネル５，…で前後に仕切られており、各天板４の前に着座して対面状態でデスクワークを行うのである。
【００１８】
本発明のデスク用パネルＢは、天板４上に載る水平部分１１と通路Ｃの床面まで延びた垂直部分１２を有する倒Ｌ字形の形状である。そして、図２に示すように、前記デスク用パネルＢは、水平部分１１の後端部を前記机上パネル５に上係止具１３と下係止具１４で前記机上パネル５の上下端部に係止するとともに、前記水平部分１１と垂直部分１２のコーナー部１６を前記天板４の前縁部にクランプ１５で締め付けて連結する構造となっている。また、前記デスク用パネルＢの垂直部分１２の下端前後には上下高さを調節可能なアジャスター１７，１７を設け、床面Ｆに圧接できるようになっている。
【００１９】
ここで、前記机上パネル５は、上端部に沿った表裏両側に係止溝１８，１８を有するとともに、下端部に下方へ開放した凹溝１９を有している。一方、前記デスク用パネルＢの水平部分１１と垂直部分１２の側縁には、図４に示すようなエッジ部材２０が設けられている。前記エッジ部材２０は、中央部と両側の三箇所に係合溝２１，…が形成されたアルミ押出し型材である。
【００２０】
前記上係止具１３は、図４及び図５に示すように、略Ｔ字形の部材であり、上部に前記机上パネル５の係止溝１８に係止する下向き爪２２，２２を両側に形成するとともに、両下向き爪２２，２２の間に切欠部２３を形成し、下部に前記デスク用パネルＢのエッジ部材２０の両側の係合溝２１，２１に上下動可能にスライド係合する係合片２４，２４を形成したものである。また、前記下係止具１４は、図６及び図７に示すように、略Ｔ字形の部材であり、一端部に前記机上パネル５の凹溝１９に係止する上向き爪２５，２５を形成し、基部には長孔２６，２６を形成し、前記デスク用パネルＢの水平部分１１の後端部下端に形成した切欠部２７に沿って埋設した固定金具２８に螺孔２９，２９を形成し、前記長孔２６，２６に下方から通したネジ３０，３０にて締結するようになっている。つまり、前記下係止具１４は、ネジ３０を緩めた状態では前後移動可能であり、ネジ３０を締め付けて所定位置で固定するのである。
【００２１】
そして、前記上係止具１３の係合片２４，２４を、前記デスク用パネルＢのエッジ部材２０の両側の係合溝２１，２１にスライド可能に係合するとともに、前記下係止具１４の長孔２６，２６に下方から通したネジ３０，３０を前記固定金具２８に緩く螺合した状態で、前記下係止具１４の上向き爪２５，２５を机上パネル５の凹溝１９の下側に位置させるとともに、前記上係止具１３の下向き爪２２，２２を机上パネル５の係止溝１８に係止する。それから、前記デスク用パネルＢを位置決めした後、下係止具１４を手前に移動させて上向き爪２５，２５を凹溝１９の前縁に係止した状態で、前記ネジ３０，３０を締め付け、更に前記上係止具１３の両下向き爪２２，２２間の切欠部２３と係止溝１８内に弾性部材３１を詰め込んで、該上係止具１３の上方移動を規制する。
【００２２】
また、前記クランプ１５は、図８及び図９に示すように、上部に前記デスク用パネルＢの水平部分１１のコーナー部１６近傍の下端に固定する固定部材３２と、該固定部材３２に対して上下方向に変位する押圧部材３３とからなる。尚、前記押圧部材３３の上面にはゴム製の緩衝板３４を貼着している。前記固定部材３２は、コーナー部１６近傍内部に埋設固定する水平な固定板３５と、該固定板３５から下方に延び、下方になるにつれて幅広とした垂直板３６と、該垂直板３６の下端に前記固定板３５と平行に設けた支持板３７を有するとともに、前記支持板３７の両端部には螺孔３８，３８を形成したものである。前記押圧部材３３は、前記支持板３７を内部に収容できるものであり、上面板３９の両側に下方へ断面Ｌ字形の保持片４０，４０を折曲形成し、両保持片４０，４０の対向する下片４１，４１にそれぞれ通孔４２，４２を形成したものである。
【００２３】
そして、前記固定部材３２の支持板３７を抱き込むように前記押圧部材３３を外挿し、下方から締結ネジ４３，４３を該押圧部材３３の下片４１，４１の通孔４２，４２に挿入するとともに、固定部材３２の支持板３７に形成した螺孔３８，３８に螺合する。そして、前記デスク用パネルＢの水平部分１１の下端を前記天板４の上面に載置するとともに、前記押圧部材３３を天板４の下面に位置させ、前述のように該水平部分１１の後端を前記上係止具１３と下係止具１４とで机上パネル５の上下端部に係止した後、前記クランプ１５の締結ネジ４３，４３を右回りに回転させて締め付けると、前記押圧部材３３が上昇して上面板３９に貼着した緩衝板３４が天板４の下面に圧接して取付ける。つまり、前記水平部分１１の下端と緩衝板３４とで天板４を上下から締め付けて固定するのである。最後に、前記アジャスター１７，１７を回転させて床面Ｆに圧接する。前述のように、前記固定部材３２の支持板３７は横幅を広くし、それに伴って前記押圧部材３３の上面板３９も横幅が広くしたので、前記天板４の下面に対する接触面積が増大し、より安定である。ここで、前記デスク用パネルＢの水平部分１１の下端にゴム製の緩衝板を貼着し、前記天板４の上面に圧接するようにすれば、多少前記締結ネジ４３，４３が緩んでも接触抵抗が大きいので、前後左右に移動することがないのである。
【００２４】
このように、前記上係止具１３、下係止具１４及びクランプ１５による３点支持と、該クランプ１５から離れた位置にあるアジャスター１７，１７が床面Ｆに圧接することにより、前記デスク用パネルＢを机上パネル５と天板４に強固に連結することができ、もってデスク用パネルＢを立起状態に強固に保持することができる。それにより、前記机上パネル５とデスク用パネルＢとで、天板４の上から着座スペースにわたって区画されたワークスペースを形成することができる。
【００２５】
次に、図１０及び図１１は、二列のデスク列Ａ１，Ａ２の間に通路Ｃを設けた典型的なデスク配置において、本発明のデスク用パネルＢを用いて、前記通路Ｃにオプションを設置して管理職やマネージャーの使用するコ字形デスク空間Ｄを創出した使用例を示している。つまり、本実施形態に係るワークステーションは、図１０に示すように、少なくとも二列のデスク列Ａ１，Ａ２を、両デスク列Ａ１，Ａ２の天板４，４が向かい合うように間に通路Ｃを設けて平行に設置したデスク配置において、端部より中央寄り位置で、両デスク列Ａ１，Ａ２の各机上パネル５，５間を連続するように仕切パネル４４で区画する。そして、図１１に示すように、通路Ｃに面して対向する天板４，４間に、該仕切パネル４４に沿って補助天板４５を配置し、両天板４，４と補助天板の背面から両デスク列Ａ，Ｂの机上パネル５，５に連続させる。つまり、前記補助天板４５と両側の天板４，…とで形成した複合天板を、仕切パネル４４と両側の机上パネル５，…で囲ってコ字形デスク空間Ｄを創出するものである。
【００２６】
前記仕切パネル４４は、各デスク列Ａ１，Ａ２に取付けた前記デスク用パネルＢ，Ｂとその間の空間を塞ぐ四角形の中間仕切パネル４６とで構成する。また、前記補助天板４５は、通路Ｃに設置した下キャビネット４７を脚部とし、その上に取付けて前記天板４と同じ高さに支持する。ここで、両デスク列Ａ１，Ａ２に取付けられた両側のデスク用パネルＢ，Ｂの間に、前記中間仕切パネル４６の両側縁を連結して保持するのであるが、それにはデスク用パネルＢと中間仕切パネル４６の側縁に埋設した前記エッジ部材２０の中央部の係合溝２１を利用し、断面略Ｈ字状の連結部材を両係合溝２１，２１に嵌合して連結する。
【図面の簡単な説明】
【００２７】
【図１】デスクに本発明のデスク用パネルを取付けてワークスペースを形成した状態の斜視図である。
【図２】同じくデスクとデスク用パネルの簡略側面図である。
【図３】同じく要部の全体拡大側面図である。
【図４】上係止具を用いて机上パネルの上端部に取付けた状態の部分拡大側面図である。
【図５】上係止具の分解斜視図である。
【図６】下係止具を用いて机上パネルの下端部に取付けた状態の部分拡大側面図である。
【図７】下係止具の分解斜視図である。
【図８】クランプを用いて天板の前縁部に取付けた状態を示し、（ａ）は部分拡大側面図、（ｂ）は部分拡大断面図である。
【図９】クランプの分解斜視図である。
【図１０】本発明のデスク用パネルを用いてデスク列の通路を仕切った状態の側面図である。
【図１１】デスク列の通路を利用してワークステーションを構成した使用例を示す斜視図である。
【符号の説明】
【００２８】
Ａ  組立式デスク、          Ａ１，Ａ２  デスク列、
Ｂ  デスク用パネル、        Ｃ  通路、
Ｄ  コ字形デスク空間、      Ｆ  床面、
１  端部脚、                ２  中間脚、
３  脚間モジュール、        ４  天板、
５  机上パネル、            ６  端部パネル、
７  幕板、                  ８  ダクト開口、
９  支持部材、              １０  ダクトカバー、
１１  水平部分、            １２  垂直部分、
１３  上係止具、            １４  下係止具、
１５  クランプ、            １６  コーナー部、
１７  アジャスター、        １８  係止溝、
１９  凹溝、                ２０  エッジ部材、
２１  係合溝、              ２２  下向き爪、
２３  切欠部、              ２４  係合片、
２５  上向き爪、            ２６  長孔、
２７  切欠部、              ２８  固定金具、
２９  螺孔、                ３０  ネジ、
３１  弾性部材、            ３２  固定部材、
３３  押圧部材、            ３４  緩衝板、
３５  固定板、              ３６  垂直板、
３７  支持板、              ３８  螺孔、
３９  上面板、              ４０  保持片、
４１  下片、                ４２  通孔、
４３  締結ネジ、            ４４  仕切パネル、
４５  補助天板、            ４６  中間仕切パネル、
４７  下キャビネット。
【図１】
2010125015.tif 000003
【図２】
2010125015.tif 000004
【図３】
2010125015.tif 000005
【図４】
2010125015.tif 000006
【図５】
2010125015.tif 000007
【図６】
2010125015.tif 000008
【図７】
2010125015.tif 000009
【図８】
2010125015.tif 000010
【図９】
2010125015.tif 000011
【図１０】
2010125015.tif 000012
【図１１】
2010125015.tif 000013